(57)【要約】【課題】プロジェクタにおいて、狭い部屋に置いてもあたかも広い部屋にいるかのようにして画像を投影表示可能にし、ユーザに高い満足感をもたらす。【解決手段】プロジェクタ１は、仮想空間表示機能の実行時に、壁面Ｗに仮想空間画像Ｖを表示画像Ｐと共に投影する。仮想空間画像は、表示画像投影領域２０と、仮想投影面とは別の面を構成するようにユーザから見える奥行き表示領域３０を含む。奥行き表示領域３０は、部屋Ｒの天井面、床面、両側壁面とそれぞれあたかも同一平面をなすかのように表示されており、表示画像投影領域２０は、ユーザが、部屋Ｒの壁面Ｗよりもユーザから離れた位置にあると錯覚するように表示されている。表示画像Ｐは、表示画像投影領域２０に投影される。ユーザは、錯覚により、実際よりも広い部屋でプロジェクタ１の性能を十分に発揮して表示画像Ｐを表示させていると感じることができ、高い満足感を得ることができる。【選択図】図３
2009048015.tif 000002
【特許請求の範囲】
【請求項１】
投影レンズから、その投影レンズに対向する投影面に、ユーザが視認可能に表示画像を投影するプロジェクタであって、
前記投影面に、前記表示画像が前記投影面よりもユーザから離れた位置にある仮想投影面に投影されているとユーザが錯覚するように、仮想空間画像を、前記表示画像と共に投影する仮想空間表示機能を備え、
前記仮想空間画像は、
仮想空間画像よりも面積が小さい表示画像投影領域と、
当該仮想空間画像の端縁部と前記表示画像投影領域の端縁部との間に前記表示画像投影領域とは別の面を構成するように表示され、前記表示画像投影領域が前記投影面から奥に離れているようにユーザに錯覚させる奥行き表示領域とを有していることを特徴とするプロジェクタ。
【請求項２】
前記仮想空間表示機能が実行されるとき、当該ユーザからの前記仮想空間画像及び前記表示画像の見え方をユーザが調整するための仮想空間調整機能を有しており、
前記仮想空間調整機能は、
前記仮想空間画像を表示する領域である仮想空間領域を前記投影面上に設定する第１ステップと、
前記第１ステップ後、前記仮想空間画像のユーザからの見え方を指定する第２ステップと、
前記第２ステップ後、前記表示画像投影領域内での前記表示画像のユーザからの見え方を指定する第３ステップとを有していることを特徴とする請求項１記載のプロジェクタ。
【請求項３】
前記第１ステップは、前記投影面に画像表示可能な最大範囲内において、表示する仮想空間領域の隅部位置をユーザにより指定させる領域位置指定ステップと、その領域位置指定ステップの後に当該指定された隅部位置に基づき決定した領域の範囲内に仮想空間画像の投影範囲を限定する投影範囲限定ステップとを含むことを特徴とする請求項２記載のプロジェクタ。
【請求項４】
前記第２ステップは、前記第１ステップで設定された仮想空間領域の範囲内において、前記表示画像投影領域の大きさをユーザにより指定させる奥行き設定ステップ及び／又は前記表示画像投影領域の位置をユーザにより指定させる視点設定ステップを含むことを特徴とする請求項２又は請求項３に記載のプロジェクタ。
【請求項５】
前記仮想空間調整機能の実行時には、前記投影面に、ユーザの操作を案内するガイダンス表示を、前記第１ステップ乃至第３ステップの順序に従い表示させることを特徴とする請求項２乃至請求項４のいずれか一項に記載のプロジェクタ。
【発明の詳細な説明】
【技術分野】
【０００１】
本発明は、壁面等の投影面に表示画像をユーザが視認可能に投影するプロジェクタに関する。
【背景技術】
【０００２】
スクリーンにパーソナルコンピュータの画像や映画等の画像を投影するプロジェクタは、近年、高性能化が進み、従来と比較して、より広い表示面積に画像を投影することができるようになっている（例えば、特許文献１参照）。しかしながら、プロジェクタを用いた投影を行う部屋が狭い場合等には、ユーザが投影面に近づかざるを得ないため、プロジェクタの性能を十分に発揮した大きさで画像を表示すると、かえって画像が見にくくなることがある。他方、画像が見やすいように投影する画像の大きさを小さくすると、プロジェクタの性能を発揮することができず、ユーザが不満足を感じることがある。
【０００３】
ところで、特許文献１には、投射対象物の縦横比と投射された画像の４隅の位置との情報を得て、画像を所定のアスペクト比で投影可能にすることが開示されている。また、特許文献２には、目の錯覚の一種である明暗対比を利用し、表示画像の白さや黒さをより強調して表現できるようにしたリアプロジェクション装置が開示されている。しかしながら、これら特許文献１又は特許文献２には、上記問題点の解決策として有効なものは示されていない。
【０００４】
また、特許文献３には、ハーフミラーを用いてＣＲＴ画像を反射させ、その画像をユーザに見せることにより、小さな筐体で、長く広いボーリングレーンを仮想的に表現可能に構成されたゲーム装置が開示されている。しかしながら、部屋内の壁面などの投影面に画像を表示させる場合に、このようにハーフミラー等を用いることはできない。
【特許文献１】特開２００５−２８６５７２号公報
【特許文献２】特開２００６−３２２９６１号公報
【特許文献３】特開平１１−１１４２２１号公報
【発明の開示】
【発明が解決しようとする課題】
【０００５】
本発明は、上記問題点を鑑みてなされたものであり、狭い部屋でも、あたかも広い部屋にいるかのようにして画像を投影表示可能であり、ユーザにより高い満足感をもたらし得るプロジェクタを提供することを目的とする。
【課題を解決するための手段】
【０００６】
上記目的を達成するため、請求項１の発明は、投影レンズから、その投影レンズに対向する投影面に、ユーザが視認可能に表示画像を投影するプロジェクタであって、前記投影面に、前記表示画像が前記投影面よりもユーザから離れた位置にある仮想投影面に投影されているとユーザが錯覚するように、仮想空間画像を、前記表示画像と共に投影する仮想空間表示機能を備え、前記仮想空間画像は、仮想空間画像よりも面積が小さい表示画像投影領域と、当該仮想空間画像の端縁部と前記表示画像投影領域の端縁部との間に前記表示画像投影領域とは別の面を構成するように表示され、前記表示画像投影領域が前記投影面から奥に離れているようにユーザに錯覚させる奥行き表示領域とを有しているものである。
【０００７】
請求項２の発明は、請求項１の発明において、前記仮想空間表示機能が実行されるとき、当該ユーザからの前記仮想空間画像及び前記表示画像の見え方をユーザが調整するための仮想空間調整機能を有しており、前記仮想空間調整機能は、前記仮想空間画像を表示する領域である仮想空間領域を前記投影面上に設定する第１ステップと、前記第１ステップ後、前記仮想空間画像のユーザからの見え方を指定する第２ステップと、前記第２ステップ後、前記表示画像投影領域内での前記表示画像のユーザからの見え方を指定する第３ステップとを有しているものである。
【０００８】
請求項３の発明は、請求項２の発明において、前記第１ステップは、前記投影面に画像表示可能な最大範囲内において、表示する仮想空間領域の隅部位置をユーザにより指定させる領域位置指定ステップと、その領域位置指定ステップの後に当該指定された隅部位置に基づき決定した領域の範囲内に仮想空間画像の投影範囲を限定する投影範囲限定ステップとを含むものである。
【０００９】
請求項４の発明は、請求項２又は請求項３の発明において、前記第２ステップは、前記第１ステップで設定された仮想空間領域の範囲内において、前記表示画像投影領域の大きさをユーザにより指定させる奥行き設定ステップ及び／又は前記表示画像投影領域の位置をユーザにより指定させる視点設定ステップを含むものである。
【００１０】
請求項５の発明は、請求項２乃至請求項４のいずれか一項の発明において、前記仮想空間調整機能の実行時には、前記投影面に、ユーザの操作を案内するガイダンス表示を、前記第１ステップ乃至第３ステップの順序に従い表示させるものである。
【発明の効果】
【００１１】
請求項１の発明によれば、投影面に仮想空間画像が投影されることにより、ユーザには、錯覚により、表示画面が、投影面よりユーザから離れた位置にある仮想投影面に表示されているように見える。従って、ユーザが投影面に近づかざるを得ない場合等に、表示画面をユーザが見やすい程度の大きさで表示させても、ユーザには、あたかも、広い部屋において、プロジェクタの性能を発揮させて表示画面を比較的大きく表示させているように感じられるので、ユーザにより高い満足感をもたらすことができる。
【００１２】
請求項２の発明によれば、仮想空間調整機能を実行することにより、ユーザは、仮想空間画像及び表示画像のユーザからの見え方を調整することができるので、例えばユーザの居る部屋の広さやユーザの視点位置等の環境的要因に応じて、より多様に仮想空間表示させ、表示画像を表示させることができる。従って、より確実に、ユーザが、表示画像が投影面よりユーザから離れている仮想投影面に投影されているように錯覚することができるようになり、ユーザにさらなる満足感をもたらすことができる。
【００１３】
請求項３の発明によれば、投影面に画像表示可能な最大範囲内において、実際に仮想空間画像を表示する範囲を指定することができるので、仮想空間画像を表示させたい投影面の形状に関わらず、所望の範囲を容易に指定して仮想空間画像を表示させることができる。従って、例えば、より広い部屋にあたかも居るかのようにユーザに錯覚させるように投影面の全体に仮想空間画像を表示させたり、投影面の前に存在する障害物等を避けるようにして仮想空間画像を表示させたりすることができ、ユーザがより効果的に錯覚することができるように仮想空間画像を表示させることができる。
【００１４】
請求項４の発明によれば、表示画像投影領域の大きさを調節することにより、ユーザが錯覚する表示画像投影領域とユーザとの距離を変更することができる。これにより、ユーザが錯覚する部屋の広さを適宜調節することができる。また、表示画像投影領域の位置を調節することにより、ユーザの視点位置が変わっても、ユーザが、違和感無く、表示画像投影領域が投影面より奥に存在するように錯覚することができる。
【００１５】
請求項５の発明によれば、ユーザは、ガイダンス表示に応じて必要な操作を行うことができ、容易に仮想空間調整機能に伴う操作を行うことができる。
【発明を実施するための最良の形態】
【００１６】
以下、本発明の第１実施形態について図面を参照して説明する。図１は、本実施形態に係るプロジェクタ１を示す。プロジェクタ１は、例えば放電灯等のランプ２と、ランプ２を駆動するバラスト３と、ランプ２から出射された光を用いて画像を形成する画像形成部４と、外部から画像データが入力される信号入力部５と、外部から操作可能に設けられた操作キー６１を有する操作入力部６と、プロジェクタ１の各部を制御するマイコンやメモリ等により構成された制御部７と、外部の商用電源に接続された電源部８と、送風部９とを備えている。このプロジェクタ１は、例えばＤＶＤプレーヤ等の映像再生装置等や、パーソナルコンピュータ等、外部機器に接続されて用いられる。図２は、プロジェクタ１の使用例を示す。プロジェクタ１は、この外部機器から信号入力部５を介して入力される画像データに基づいて表示画像Ｐ０を形成し、その表示画像Ｐ０を、例えば部屋Ｒの略平坦な壁面（投影面）Ｗに投影する機能を有している。なお、プロジェクタ１の外部に設置されたスクリーン等を投影面として用いてもよい。
【００１７】
画像形成部４は、信号入力部５に入力された画像データに基づいて制御部７に制御され、例えばデジタルマイクロミラーデバイス（以下、ＤＭＤと称する）を用いて、その画像データに応じた画像を形成するように構成されている。画像形成部４により形成された画像は、ズーム、フォーカス等を行うことができるように構成された投影レンズ４ａを介して、それに対向する壁面Ｗ等の投影面に向け投影されるように構成されている。画像形成部４は、ＤＭＤと、ランプ２から出射された光をカラー画像を形成するための複数の色に変更するためのカラーホイールと、カラーホイールを回転させるためのモータと、制御部７による制御を受けてこれらを駆動するための駆動ドライバ等を有している。画像形成部４は、カラーホイールにより、ランプ２から出射された光の色を変更させながらＤＭＤに照射し、画像データに基づいて駆動されるＤＭＤにより、ランプ２から照射された光を、色毎に、順次繰り返して、投影面上に投影するように構成されている。
【００１８】
操作入力部６の操作キー６１は、例えば、プロジェクタ１の筐体に、外部からユーザにより押下操作可能に配置されている。操作入力部６は、操作キー６１が操作されると、操作された操作キー６１に対応する操作信号を制御部７に送る。制御部７は、その操作信号に応じて装置各部の制御を行う。すなわち、ユーザは、操作キー６１を操作することにより、プロジェクタ１の動作を操作可能である。
【００１９】
送風部９は、ファン、このファンを回転させるモータ、及びモータを駆動するモータドライバ等で構成されている。送風部９は、ファンを回転させることにより、プロジェクタ１の筐体内部に外気を流入させると共に筐体内部の空気を外部に排気する。これにより、プロジェクタ１の駆動により発熱する、ランプ２や電源部８等、種々の部位の過熱が防止される。この送風部９の動作は、例えば制御部７により制御され、駆動中のランプ２の温度が適温に保たれるように構成されている。
【００２０】
ここで、このプロジェクタ１は、図２に示すような通常の表示画像Ｐの投影を行う通常表示機能のほか、仮想空間画像を表示画像と共に投影（仮想空間表示）する仮想空間表示機能を有している。図３は、仮想空間表示時に、プロジェクタ１により投影される画像の一例を示す。仮想空間表示は、表示画像Ｐと、仮想空間画像Ｖとを共に投影して行われる。仮想空間画像Ｖは、仮想空間画像Ｖの全体よりも面積が小さい表示画像投影領域２０と、仮想空間画像Ｖの端縁部と表示画像投影領域２０との間に表示される奥行き表示領域３０とを有している。本実施形態において、仮想空間画像Ｖは、部屋Ｒの壁面Ｗの略全面に投影されている。仮想空間画像Ｖは、ユーザから見て、表示画像Ｐが、実際の投影面である部屋Ｒの壁面Ｗと略平行であって、壁面Ｗよりもユーザから離れた位置にある、表示画像投影領域２０により示される仮想投影面に投影されていると感じられる（錯覚する）ように画像表示を行うものである。表示画像投影領域２０は、例えば、仮想空間画像Ｖすなわち壁面Ｗと略相似形の矩形形状に表示されており、奥行き表示領域３０は、仮想空間画像Ｖの端縁部すなわち壁面Ｗの各辺とそれに対応する表示画像投影領域２０の辺とを上底及び下底とする４つの台形形状に表示されている。４つの奥行き表示領域３０は、図に示すように、部屋Ｒの天井面、壁面Ｗの両側壁面、床面の４面とそれぞれあたかも同一平面をなすかのように対応するように、壁面画像を表示する。表示画像Ｐは、表示画像投影領域２０に表示される。従って、これにより、ユーザが、あたかも、壁面Ｗよりもユーザから離れた位置にある、表示画像投影領域２０に示される仮想投影面に表示画像Ｐが投影されているかのように錯覚しうるように、仮想空間画像Ｖが表示される。この仮想空間表示は、制御部７の制御に基づき実行される。仮想空間表示は、例えば、通常表示機能の実行中に、ユーザの操作により選択的に実行される。
【００２１】
本実施形態において、仮想空間表示は、その仮想空間画像の表示態様を調整するための仮想空間調整機能を実行したうえで実行される。なお、仮想空間表示を行っているときには、ユーザによる操作に応じて、適宜、制御部７が仮想空間調整機能を実行させるように構成されている。図４は、仮想空間表示を行うときの仮想空間調整機能の流れを示す。ユーザにより、操作キー６１等を用いた仮想空間表示を行う旨の操作があると、制御部７は、まず、壁面Ｗに投影する画像中にユーザの操作を案内するガイダンス表示を表示させ、仮想空間調整を開始する。仮想空間調整は、おおまかに、仮想空間画像Ｖを表示する領域である仮想想空間領域の設定を行うステップと（Ｓ１；第１ステップ）、仮想空間画像Ｖのユーザからの見え方を指定する仮想空間設定を行うステップと（Ｓ２；第２ステップ）、表示画像投影領域２０内での表示画像Ｐの見え方を指定する表示領域設定を行うステップと（Ｓ３；第３ステップ）の３つのステップを順に経ることで完了する。ガイダンス表示は、後述のように、これら３つのステップの順序に従い表示されるように構成されている。
【００２２】
図５は、仮想空間領域の設定時の操作の流れと壁面Ｗに投影される画像を示す。先ず、ユーザにより仮想空間表示を行う旨が選択される（Ｓ１１）。この選択は、例えば、ユーザにより、操作キー６１を用いて仮想空間表示をさせるための操作が行われたとき、図に示すように、ユーザの意図を確認するためのガイダンス表示１０を、ユーザが操作キー６１により操作可能なカーソル１１と共に投影表示させて行われる。ユーザは、投影された画像中でガイダンス表示１０に基づきカーソル１１を移動させて仮想空間表示を行うか否かを決定する操作を行うことができるので、誤操作を防止しつつ、確実に仮想空間表示を実行させることができる。仮想空間表示を行う旨が選択されると、例えば仮想空間領域Ｖ０となりうる範囲を青色等で仮表示すると共に（Ｓ１２）、ガイダンス表示１０を行い、その仮想空間領域Ｖ０となりうる範囲が壁面Ｗの全体を覆うようにユーザにプロジェクタ１の操作や位置変更を行わせる。このとき、仮表示する範囲は、壁面Ｗに画像表示可能な最大範囲とされる。ユーザにより当該範囲が壁面Ｗの全体を覆うようにする操作等が終了した旨の操作があると、ユーザにより、実際に仮想空間領域Ｖ０を表示する位置を指定させる（Ｓ１３；領域位置指定ステップ）。仮想空間領域Ｖ０の位置指定は、例えば、図に示すように、隅指定カーソル１２を表示させ、その隅指定カーソル１２を壁面Ｗの４隅にそれぞれ位置させる操作をユーザにより行わせることで完了する。カーソル１１を含む投影した画像を用いて、隅指定カーソル１２の位置指定が終了した旨の操作がユーザによりなされると、制御部７は、隅指定カーソル１２により指定された点を頂点とする略矩形形状に、仮想空間領域Ｖ０を限定する（Ｓ１４；投影範囲限定ステップ）。すなわち、ユーザは、表示する仮想空間領域Ｖ０の隅部位置を指定することにより、仮想空間領域Ｖ０を容易に設定することができる。なお隅部位置の指定は、矩形形状の仮想空間領域Ｖ０の対角をなす２点を隅指定カーソル１２等により指定することにより行うことができるように構成されていてもよい。また、仮想空間領域Ｖ０の限定は、例えば、限定する範囲外となる部位には、光を投影しないようにすればよい。これらの一連の操作（Ｓ１２乃至Ｓ１４）を行うことにより、ユーザは、仮想空間領域Ｖ０を、例えば壁面Ｗの略全面を覆うように設定することができる。
【００２３】
図６は、仮想空間設定時の操作の流れと壁面Ｗに投影される画像を示す。仮想空間設定は、仮想空間領域Ｖ０が設定されると、制御部７は、その仮想空間領域Ｖ０に、仮想空間画像Ｖを仮表示して行われる（Ｓ２１）。ユーザは、表示された表示画像投影領域２０の大きさを仮想空間画像Ｖ内で変更する（Ｓ２２；奥行き設定ステップ）。この操作は、所定の操作キー６１等を用いることにより行われる。ユーザは、表示画像投影領域２０の大きさを例えば大きく変更することにより、表示画像投影領域２０により示される仮想投影面の位置がよりユーザに近づくように、仮想空間画像Ｖを調整することができる。このとき、本実施形態では、例えば、表示画像投影領域２０を仮想空間画像Ｖの略中央に固定したままで表示し、ユーザの視点が壁面Ｗの略中央位置に向かう位置にあるときに、ユーザがより錯覚しやすくなるように構成されている。ユーザが所望の大きさに仮想空間画像Ｖを設定すると、上述と同様なカーソル１１とガイダンス表示１０等を用いたユーザの決定指示により、仮想空間設定が終了し、表示領域設定へと移る。
【００２４】
図７は、表示領域設定時の操作の流れと壁面Ｗに投影される画像を示す。仮想空間設定が終了すると、表示画像投影領域２０上の略中央部に、表示画像Ｐが仮表示される（Ｓ３１）。このとき、表示画像Ｐとしては、例えば、所定の画像や、無模様であって表示画像投影領域２０や奥行き表示領域３０とは区別しやすい色の画像等が使用される。表示画像Ｐには、上述と同様に、適宜、ユーザが行うべき操作等を説明するガイダンス表示１０が表示される。ユーザは、所定の操作キー６１を操作すること等により、仮表示された表示画像Ｐの大きさが所望の大きさになるようにし、カーソル１１等を用いた決定操作を行う（Ｓ３２）。これにより、表示画像Ｐが表示される表示領域が指定され、制御部７は、指定された表示領域に、外部機器等から入力される画像を表示画像Ｐとして表示開始する（Ｓ３３）。
【００２５】
このように、本実施形態においては、壁面Ｗに仮想空間画像Ｖが投影されることにより、ユーザには、錯覚により、表示画像Ｐが、壁面Ｗよりユーザから離れた仮想投影面に表示されているように見える。従って、ユーザが壁面Ｗに近づかざるを得ない場合等に、表示画像Ｐをユーザが見やすい程度の大きさで表示させても、ユーザには、あたかも、広い部屋において、プロジェクタの性能を十分に発揮させて表示画像Ｐを比較的大きく表示させているように感じられる。それゆえ、ユーザに、より高い満足感をもたらすことができる。仮想空間調整機能を実行することにより、ユーザは、例えば、仮想空間画像Ｖにより錯覚する仮想空間がユーザの居る部屋Ｒの空間と同じ空間であるように見えるようにしたり、表示画像投影領域２０の大きさを調節してユーザが錯覚する仮想投影面とユーザとの距離を変更する等して、仮想空間画像Ｖ表示画像Ｐのユーザからの見え方を調整することができる。従って、例えばユーザの居る部屋Ｒの広さ等に応じて、より多様に仮想空間表示させ、ユーザが効果的に錯覚できるようにした状態で、表示画像Ｐを表示させることができる。
【００２６】
また、壁面Ｗに画像表示可能な最大範囲内において、実際に仮想空間画像Ｖを表示する範囲を指定することができるので、壁面Ｗの形状に関わらず、壁面Ｗの全体を容易に指定して仮想空間領域Ｖ０を表示させることができる。従って、例えば、より広い部屋にあたかも居るかのようにユーザに錯覚させるようにさらに効果的に仮想空間画像Ｖを表示させることができる。さらにまた、ユーザは、仮想空間調節機能の実行時に、ガイダンス表示１０に応じて必要な操作を行うことができるので、容易に、仮想空間表示を適切に実行させることができる。
【００２７】
図８は、本発明の第２実施形態に係るプロジェクタ４１により投影される画像の一例を示す。第２実施形態において、上述の第１実施形態と相違する部分についてのみ説明する。プロジェクタ４１を構成する各部位は、上述の第１実施形態に係るプロジェクタ１と略同様である。プロジェクタ４１は、仮想空間設定時に、上述のような表示画像投影領域２０の大きさの設定だけでなく、表示画像投影領域２０の仮想空間画像Ｖ１内での位置を設定することができる点が上述のプロジェクタ１とは異なる。これにより、図に示すように、例えば、部屋Ｒの投影面となる壁面Ｗの下方前方に、ソファー等の障害物Ｏｂが存在する場合であっても、ユーザに違和感を覚えさせることなく、仮想空間表示を行うことができる。
【００２８】
以下に、第２実施形態における仮想空間調節機能について説明する。図９は、仮想空間領域の設定時の操作の流れと壁面Ｗに投影される画像を示す。図に示すように、第２実施形態では、障害物Ｏｂを避けて、壁面Ｗに仮想空間領域Ｖ０を設定する点が第１実施形態と異なる。すなわち、ユーザは、仮想空間表示を行う旨を選択した後（Ｓ１１）、仮想空間領域Ｖ０の仮表示時に、例えば仮想空間領域Ｖ０が障害物Ｏｂを避けるようにプロジェクタ４１の画像投影範囲を調節する（Ｓ１２）。このとき、図に示すように、ガイダンス表示１０として、ユーザに、障害物Ｏｂを避けて仮想空間領域Ｖ０を設定するように促す表示をしてもよい。その後、ユーザは、仮想空間領域Ｖ０が、障害物Ｏｂが設けられている位置を避けて壁面Ｗにのみ投影されるように、隅指定カーソル１２の位置を調整し、調整終了した旨の操作を行うことにより、仮想空間領域Ｖ０の位置指定を実行する（Ｓ１３）。これにより、障害物Ｏｂを避けて、仮想空間領域Ｖ０を設定し、仮想空間画像Ｖ１を表示することができる（Ｓ１４）。
【００２９】
図１０は、仮想空間設定時の操作の流れと壁面Ｗに投影される画像を示す。第２実施形態では、第１実施形態と略同様に表示画像投影領域２０の奥行きを調節した後（Ｓ６２）、その表示画像投影領域２０の仮想空間画像Ｖ１内における位置を調節する視点位置設定を行う（Ｓ６３，Ｓ６４；視点設定ステップ）。視点位置設定は、例えば、ユーザの操作キー６１の操作に応じて、表示画像投影領域２０の位置を仮想空間画像Ｖ１内において上下に移動することができるようにして行われる。視点位置設定は、例えば、図に示すように、仮想空間画像Ｖ１の位置が壁面Ｗの上方に設定されているときに、ユーザの視点が低ければ、表示画像投影領域２０の位置を仮想空間画像Ｖ１の下方に移動させて行う。ユーザの視点が高ければ、表示画像投影領域２０の位置を仮想空間画像Ｖ１の上方に移動させて行う。このように、プロジェクタ４１では、例えば、表示画像投影領域２０のユーザからの見え方を、ユーザの視点の位置に応じてユーザが変更することができるように構成されているので、ユーザの視点位置が仮想空間画像Ｖ１の中央部に対向する位置でなくても、仮想投影面が壁面Ｗよりもユーザから離れているように、より確実に錯覚できるようにすることができる。なお、表示画像投影領域２０の位置を、上下方向のみならず、左右方向に変更可能に構成されていてもよい。
【００３０】
図１１は、表示領域設定時の操作の流れと壁面Ｗに投影される画像を示す。表示領域設定では、上述の第１実施形態と同様に、ユーザは、表示画像Ｐが仮表示された状態で（Ｓ３１）、表示画像Ｐの大きさが所望の大きさになるようにし、カーソル１１等を用いた決定操作を行う（Ｓ３２）。制御部７により、指定された表示領域に、外部機器等から入力される画像が表示画像Ｐとして表示開始され（Ｓ３３）、仮想空間調節機能が終了する。このとき、表示画像Ｐの大きさだけでなく、表示画像Ｐの表示画像投影領域２０内での位置も変更することができるように構成されていてもよい。これにより、より多様な態様で仮想空間表示させることが可能になる。
【００３１】
このように、第２実施形態においては、奥行き設定ステップ及び視点設定ステップを経て、仮想空間領域Ｖ０の範囲内において表示画像投影領域２０の大きさと位置を適宜設定することができる。従って、ユーザが錯覚する仮想投影面とユーザとの距離を調節できる上、壁面Ｗの一部に障害物Ｏｂ等があって画像を投影可能な部位が制限されていたり、ユーザの視点位置が壁面Ｗの中央部に面する位置でなくても、ユーザが違和感なく錯覚することができるようにすることができる。そのため、第１実施形態と同様の効果の他、より効果的に仮想空間表示を行うことが可能になり、ユーザにさらなる満足感をもたらすことができる。
【００３２】
なお、本発明は上記実施形態の構成に限定されるものではなく、発明の趣旨を変更しない範囲で適宜に種々の変形が可能である。例えば、仮想空間画像は、表示画像投影領域を種々の形状を表示するように構成されていてもよい。図１２は、例えば、角丸形状の表示画像投影領域２２を表示するように構成されたプロジェクタ７１の投影画像の一例を示す。図に示すように、仮想空間画像Ｖ２は、表示画像投影領域２２により示される仮想投影面が壁面Ｗよりもユーザから離れているようにユーザが錯覚しうるように、ユーザから見て表示画像投影領域２２とは別の平面、曲面に見えるように表示される奥行き表示領域３２を含んでいる。このような仮想空間表示が実行可能であることにより、より多様な仮想空間表示を行うことが可能になり、ユーザに高い満足感をもたらすことができる。
【図面の簡単な説明】
【００３３】
【図１】本発明の第１実施形態に係るプロジェクタの一例を示すブロック図。
【図２】上記プロジェクタの通常表示例を示す図。
【図３】上記プロジェクタの仮想空間表示例を示す図。
【図４】上記プロジェクタの仮想空間調整機能の流れを示すフローチャート。
【図５】上記仮想空間調整機能における仮想空間領域の設定時の操作の流れを壁面に投影される画像と共に示すフローチャート。
【図６】上記仮想空間調整機能における仮想空間設定時の操作の流れを壁面に投影される画像と共に示すフローチャート。
【図７】上記仮想空間調整機能における表示領域設定時の操作の流れを壁面に投影される画像と共に示すフローチャート。
【図８】本発明の第２実施形態に係るプロジェクタの仮想空間表示例を示す図。
【図９】上記プロジェクタの仮想空間領域の設定時の操作の流れを壁面に投影される画像と共に示すフローチャート。
【図１０】上記プロジェクタの仮想空間設定時の操作の流れを壁面に投影される画像と共に示すフローチャート。
【図１１】上記プロジェクタの表示領域設定時の操作の流れを壁面に投影される画像と共に示すフローチャート。
【図１２】本発明の一変形例に係るプロジェクタの仮想空間表示例を示す図。
【符号の説明】
【００３４】
１，４１，７１  プロジェクタ
４ａ  投影レンズ
７  制御部
１０  ガイダンス表示
２０，２２  表示画像投影領域
３０，３２  奥行き表示領域
Ｐ  表示画像
Ｓ１  仮想想空間領域設定（第１ステップ）
Ｓ２  仮想空間設定（第２ステップ）
Ｓ３  表示領域設定（第３ステップ）
Ｓ１３  領域位置指定（領域位置指定ステップ）
Ｓ１４  投影範囲限定（投影範囲限定ステップ）
Ｓ２２，Ｓ６２  奥行き設定（奥行き設定ステップ）
Ｓ６４  視点位置設定（視点設定ステップ）
Ｖ，Ｖ１，Ｖ２  仮想空間画像
Ｖ０  仮想空間領域
Ｗ  壁面（投影面）
【図１】
2009048015.tif 000003
【図２】
2009048015.tif 000004
【図３】
2009048015.tif 000005
【図４】
2009048015.tif 000006
【図５】
2009048015.tif 000007
【図６】
2009048015.tif 000008
【図７】
2009048015.tif 000009
【図８】
2009048015.tif 000010
【図９】
2009048015.tif 000011
【図１０】
2009048015.tif 000012
【図１１】
2009048015.tif 000013
【図１２】
2009048015.tif 000014